(57)【要約】【課題】簡単な構成で被照射面の全体を照度ムラなく照明することができる照明器具を提供する。【解決手段】被照射面１００に一端部１０１側から斜めに光を照射する照明器具１であって、前面に前面開口１１Ａを有する器具本体１０と、器具本体１０の底部１３に配置された発光素子１２と、発光素子１２からの光を被照射面１００に向けて反射させる反射鏡１４とを有し、被照射面１００の一端部１０１側に向かう光を拡散させる拡散カバー１８を備えた。【選択図】図３
2018092896.tif 000002
【特許請求の範囲】
【請求項１】
被照射面に一端部側から斜めに光を照射する照明器具であって、
前面に出射開口を有する器具本体と、
前記器具本体の底部に配置された発光素子と、
前記発光素子からの光を被照射面に向けて反射させる反射鏡とを有し、
前記被照射面の一端部側に向かう光を拡散させる拡散透過部材を備えた
ことを特徴とする照明器具。
【請求項２】
前記拡散透過部材が前記反射鏡の開口部に設けられていることを特徴とする請求項１に記載の照明器具。
【請求項３】
前記拡散透過部材が前記器具本体の出射開口を塞ぐ透過性カバーに一体に設けられていることを特徴とする請求項１に記載の照明器具。
【請求項４】
前記拡散透過部材は、前記反射鏡の開口部の２０〜５０％の面積を有していることを特徴とする請求項１乃至３のいずれかに記載の照明器具。
【請求項５】
前記器具本体は、被照射面から１ｍ以内の出幅の位置に設置されていることを特徴とする請求項１乃至４のいずれかに記載の照明器具。
【請求項６】
前記発光素子は、前記被照射面の幅方向に沿って複数並べて設けられ、
前記反射鏡は、複数の前記発光素子の周囲を囲み、発光素子毎に仕切られた反射面を備えていることを特徴とする請求項１乃至５の何れかに記載の照明器具。
【請求項７】
前記発光素子は、発光ダイオードの発光と蛍光体の蛍光とにより白色光を発し、
前記出射開口内に位置する前記拡散透過部材の縁部が少なくとも凹又は凸のいずれかを含むことを特徴とする請求項１乃至６のいずれかに記載の照明器具。
【発明の詳細な説明】
【技術分野】
【０００１】
本発明は、ＬＥＤ等の発光素子を光源として備える照明器具に関する。
【背景技術】
【０００２】
従来、ＬＥＤ等の発光素子を光源として用いて、看板などの平面的な照射面を照射する照明器具が知られている（例えば、特許文献１参照）。このような照明器具は、照射面の一端部に配置されて、照射面に対して照射光を照射することにより、照射面の一端部から遠端部まで照明するように構成されている。このような照射面の一端部に配置されて、照射面に対して照射光を照射する照明器具では、照射面上の略全域にわたる領域を略均一に照射する必要がある。そのため、特許文献１記載の照明器具では、照射面の遠端部に光度最大点を有し一端部に向かって徐々に光度が減衰する配光特性を有する複合レンズを用いて光を制御している。
【先行技術文献】
【特許文献】
【０００３】
【特許文献１】特開２００８−１５３１５４号公報
【発明の概要】
【発明が解決しようとする課題】
【０００４】
照射面の一端部に配置されて、平面的な照射面を照射する照明器具では、従来のように複合レンズを用いて照射面上の略全域にわたる領域を略均一に照射することができるが、レンズの設計及び製造にコストがかさみ、レンズと光源との位置合わせ等の作業も要していた。また、発光素子の出力の違いや、被照射面の大きさの違いに応じて、レンズを設計しなければならなかった。そこで、簡単な構成で被照射面の全体を照度ムラなく照明することができる照明器具に対する要望があった。
本発明は、上述した事情に鑑みてなされたものであり、簡単な構成で被照射面の全体を照度ムラなく照明することができる照明器具を提供することを目的とする。
【課題を解決するための手段】
【０００５】
上述した目的を達成するために、本発明は、照射面を照明する照明器具であって、被照射面に一端部側から斜めに光を照射する照明器具であって、前面に出射開口を有する器具本体と、前記器具本体の底部に配置された発光素子と、前記発光素子からの光を被照射面に向けて反射させる反射鏡とを有し、前記被照射面の一端部側に向かう光を拡散させる拡散透過部材を備えたことを特徴とする。
【０００６】
また、本発明は、上記照明器具において、前記拡散透過部材が前記反射鏡の開口部に設けられていることを特徴とする。
【０００７】
また、本発明は、上記照明器具において、前記拡散透過部材が前記器具本体の出射開口を塞ぐ光透過性カバーに一体に設けられていることを特徴とする。
【０００８】
また、本発明は、上記照明器具において、前記拡散透過部材は、前記反射鏡の開口部の２０〜５０％の面積を有していることを特徴とする。
【０００９】
また、本発明は、上記照明器具において、前記器具本体は、被照射面から１ｍ以内の出幅の位置に設置されていることを特徴とする。
【００１０】
また、本発明は、上記照明器具において、前記発光素子は、前記被照射面の幅方向に沿って複数並べて設けられ、前記反射鏡は、複数の前記発光素子の周囲を囲み、発光素子毎に仕切られた反射面を備えていることを特徴とする。
【００１１】
また、本発明は、上記照明器具において、前記発光素子は、発光ダイオードの発光と蛍光体の蛍光とにより白色光を発し、前記出射開口内に位置する前記拡散透過部材の縁部が少なくとも凹又は凸のいずれかを含むことを特徴とする。
【発明の効果】
【００１２】
本発明によれば、被照射面に一端部側から斜めに光を照射する照明器具であって、被照射面の一端部側に向かう光を拡散させる拡散透過部材を備えているため、照明器具が取り付けられた一端部側に向かう光を拡散透過部材で拡散して照度を低下させ、被照射面全体を均一に照明することができ、簡単な構成で被照射面の全体を照度ムラなく照明することができる。
【図面の簡単な説明】
【００１３】
【図１】第１実施形態の照明器具の設置状態を模式的に示す図である。
【図２】照明器具を正面側から示す斜視図である。
【図３】照明器具の正面図である。
【図４】照明器具の内部構成を示す図であり、図３のＢ−Ｂ断面図である。
【図５】照明器具の内部構成を示す図であり、図３のＡ−Ａ断面図である。
【図６】拡散カバー無しの照明器具の照射範囲における照度分布を示す図である。
【図７】拡散カバー有の照明器具の照射範囲における照度分布を示す図である。
【図８】第１実施形態の照明器具による照射状態を模式的に示す図である。
【図９】第２実施形態に係る照明器具の正面図である。
【図１０】第２実施形態に係る拡散カバーの構成を示す図であり、（ａ）は拡散カバーの上面図であり、（ｂ）は拡散カバーの正面図である。
【図１１】第２実施形態に係る拡散カバーの変形例を示す図であり、（ａ）は凸部を含む拡散カバーを示す図であり、（ｂ）は凹部を含む拡散カバーを示す図であり、（ｃ）は矩形波状の拡散カバーを示す図である。
【発明を実施するための形態】
【００１４】
＜第１実施形態＞
以下、図面を参照して本発明の実施形態について説明する。
図１は、第１実施形態に係る照明器具１の設置状態を示す図である。
図１に示すように、照明器具１は、平面状の被照射面１００を照明するために用いることができる所謂投光器であり、例えば看板用照明として用いることができる。照明器具１は、被照射面１００の一端部１０１側から斜めに光を照射面に向けて照射するように設置されている。また、照明器具１は、被照射面１００から器具先端１０２までの出幅Ｗ１が、例えば略０．５ｍという出幅を取らない取付状態で取り付けられているのが望ましい。なお、本実施形態の照明器具１は、被照射面１００からの出幅Ｗ１を１ｍ以内に設定して設置して好適に用いることができる。また、図示は省略するが、照明器具１は、被照射面１００の一端部１０１に、互いに所定間隔で複数並べて設けられて、横に幅広の被照射面を照明する構成とすることもできる。
【００１５】
図２は第１実施形態に係る照明器具１の斜視図である。図３は、照明器具１を出射面側から見た平面図である。図４、図５は照明器具１の断面図であり、図４は図３のＢ−Ｂ断面図、図５は図３のＡ−Ａ断面図である。図２〜図５に示すように、照明器具１は、器具本体１０を備え、器具本体１０を挟むように設けられた取付アーム２５によって、所定の取り付け箇所に回動可能に取り付けられる。
【００１６】
器具本体１０は、一方の面が開口する有底の矩形箱状の筐体１１と、この筐体１１の内部に設けられる発光素子１２と、を備えている。発光素子１２は、例えばＬＥＤチップをＬＥＤ基板の上に密集配置して面状の発光部を形成した高出力ＬＥＤである。発光素子１２には、チップオンボード（ＣＯＢ）型のＬＥＤを好適に用いることができる。本実施形態の発光素子１２は、筐体１１の長手方向に横長の矩形の発光面１２Ａを有している。
【００１７】
筐体１１の底部１１Ｂには、発光素子１２が、筐体１１の長手方向に沿って、複数（本実施形態では２つ）並べて配置されている。さらに、筐体１１の内部には、発光素子１２の配光を制御する反射鏡１４が収められている。発光素子１２は、反射鏡１４の底部１３に配置され、発光面１２Ａを反射鏡１４の底部開口１３Ａに臨ませて配置されている。また、筐体１１の内部には、筐体１１の底面２０と、筐体１１の前面開口１１Ａとの間に、底面２０と略平行に遮蔽板３９が設けられる。遮蔽板３９は、筐体１１内部の構造が後述する前面カバー４０（光透過性カバー）を介して外部から見えないようにするために設けられている。遮蔽板３９には、反射鏡１４が挿入される適宜の大きさの孔３９Ａが設けられている。また、遮蔽板３９には、反射鏡１４の一対の固定脚１４Ａの先端に設けられた爪部１４Ｂが係止される係止孔３９Ｂが形成されている。
【００１８】
筐体１１は、熱伝導性に優れた材料から形成され、例えばアルミダイキャスト製とすることができる。また、筐体１１には、発光素子１２が取り付けられる光源取付部２１が筐体１１の底面２０に一体に形成されている。筐体１１の背面には、発光素子１２からの発熱を放熱する複数の放熱フィン（不図示）が設けられている。発光素子１２からの熱は、光源取付部２１に伝熱され、さらに光源取付部２１から底面２０を介して放熱フィンに伝熱されて外部に放熱される。また、筐体１１の背面３０には、不図示の放熱フィンの周囲を囲む背面ガード５０が取り付けられている。
【００１９】
背面ガード５０は、樹脂製とすることができ、筐体１１の背面に備えられた構造物を保護するとともに、放熱フィンや筐体１１の背面３０の充電部への手指の接触を防ぐ機能を有している。また、背面ガード５０には、複数のスリット５１が設けられている。スリット５１は、このスリット５１を介して背面ガード５０の内側に指が入り込まないサイズに形成されている。また、このスリット５１を介して放熱フィンの熱が背面ガード５０の外部に放熱されように構成されている。なお、放熱性が十分であるなどの場合には、放熱フィンを形成しなくても良い。
【００２０】
筐体１１は、前面開口１１Ａが前面カバー４０で覆われている。前面カバー４０は、ガラス等の光透過性部材から形成され、枠状のカバー押さえ４１によって筐体１１の外側方向から筐体１１に対して押さえられ固定されている。カバー押さえ４１は、樹脂材から形成され、筐体１１に接着やねじ止めなどで固定されている。筐体１１の前面開口１１Ａは、前面カバー４０及びカバー押さえ４１によって水密に閉封されている。
【００２１】
反射鏡１４は、筐体１１の長手方向に沿って複数並べて設けられた発光素子１２の周囲を囲み、複数の発光素子１２からの光を所望の方向に反射させる反射面１５を備える。反射鏡１４は、軽量化のために、ポリカーボネート等の樹脂材から形成され、内面に蒸着されたアルミニウムの薄膜によって反射面１５が構成されている。反射鏡１４は、前面開口１１Ａの長手の開口幅に亘る範囲に反射面１５が形成された略矩形横長形状に形成されている。
【００２２】
また、反射鏡１４は、隣り合う発光素子１２間に設けられ、反射面１５を発光素子１２毎に対応する第１反射面１５Ａと、第２反射面１５Ｂとに仕切る仕切り板１６を備えている。なお、本実施形態では、２つの発光素子１２を長手方向に沿って並べているため、反射面１５を２つの反射面１５Ａ,１５Ｂに仕切る仕切り板１６を備えた構成としている。ここで、筐体１１の底面２０に３つ以上の発光素子１２が並べられている場合には、各発光素子１２に対応付けて、反射面１５を複数に仕切る複数の仕切り板１６が設けられる。
【００２３】
仕切り板１６は、仕切り板１６によって仕切られた隣合う発光素子１２の一方からの光が、他方の反射面１５Ａまたは反射面１５Ｂに入射することがないようにする機能を有する。また、仕切り板１６は、反射面１５Ａ,１５Ｂの一部を構成し、一方の発光素子１２からの光が対応する一方の反射面１５Ａまたは反射面１５Ｂによって効率よく反射されて被照射面１００に照射されるように構成されている。この構成によれば、仕切り板１６によって、発光素子１２からの光が必要以上に横方向に広がって、被照射面の照射範囲を外れた漏れ光となるのを防ぐことができ、効率よく被照射面１００を照明することができる。
【００２４】
反射鏡１４は、反射面１５の長手の両端面１５Ｄ，１５Ｄが、図４中に矢印で示したように、入射した光を反射させて、被照射面１００の幅Ｗの側方部ＳＰであって、各端面１５Ｄ，１５Ｄに対向する側の側方部ＳＰを照明するように構成されている。
また、反射鏡１４は、図５に示すように、短手の両側面１５Ｅ，１５Ｆが互いに同じ反射特性を有する面に形成されている。反射鏡１４は、発光素子１２の光のうち光度の高い直射光成分が、被照射面１００の一端部１０１側に向かわないよう、光を遮る機能を有している。
【００２５】
反射鏡１４には反射面１５の出射開口１７の一部を覆う透光性の拡散カバー１８（拡散透過部材）が設けられている。拡散カバー１８は、出射開口１７から出射される発光素子１２の光のうち、拡散カバー１８を透過する光を拡散させる機能を有している。拡散カバー１８は、反射鏡１４の長手に亘る長さに形成されている。反射鏡１４は、出射開口１７の長手の両端部に、発光素子１２の発光面と略平行な平面に形成された縁部１９を備えている。縁部１９は、反射鏡１４の短手に亘って形成されている。拡散カバー１８は、長手の両端が、反射鏡１４の縁部１９に接着されて固定されている。なお、拡散カバー１８を縁部１９にねじ止めしても良い。
【００２６】
照明器具１は、筐体１１の長手方向を、被照射面１００の一端部１０１の辺に沿わせて取り付けられており、拡散カバー１８は、被照射面１００の一端部１０１に近い方の反射鏡１４の端から出射開口１７の所定の範囲を覆っている。
上述したように、照明器具１は、被照射面１００を一端部１０１側から斜めに光を照射する。被照射面１００に近い側から出射した光が、照明器具１の近傍を照らすこととなる。特に、本実施形態の照明器具１は、出幅を抑えて取り付けられている。このため、被照射面１００において、照明器具１から近い部分では、照射距離が十分に確保できず、反射鏡１４の出射開口１７から出射された光によって直接、被照射面１００の一端部１０１の近傍を照明した場合には、照度が極端に上がってしまう箇所が発生し、被照射面１００全体に照度ムラが発生してしまう。
【００２７】
照明器具１は、光度の高い発光素子１２の直射光成分ができるだけ、照明器具１から遠方、特に、被照射面１００の高さＨの半分から下方に向かうように、出射角度を調整して取り付けられている。また、照明器具１には、発光素子１２の光のうち直射光成分が、被照射面１００の一端部１０１側に向かわないよう、光を遮る機能を有した反射鏡１４が設けられている。つまり、照明器具１の照明範囲は、主に、被照射面１００の高さＨの半分から下方に設定されている。
【００２８】
拡散カバー１８は、発光素子１２の直射光の一部と、反射鏡１４の一端部１０１に近い短手の側面１５Ｆで反射され、出射開口１７から出射される光の一部と、を拡散させる機能を有している。拡散カバー１８は、高い光透過率を有しながら光を拡散させる機能を有し、例えばポリカーボネート製とすることができる。拡散カバー１８は、本実施形態では、厚さ略２ｍｍのポリカーボネートの板材から形成され、高い全光線透過率、及び、拡散光線透過率を有している。また、拡散カバーは、平行光線透過率は低いものを用いるのが望ましい。
【００２９】
被照射面１００の高さＨの半分から下方に向かう光の一部は、拡散カバー１８を通って拡散されて、照明器具１が取り付けられた被照射面１００の一端部１０１側に向けられるように構成されている。これにより、被照射面１００の一端部１０１側には、拡散カバー１８によって拡散された光度の低い光が照射される。
【００３０】
図６、図７は、６灯の照明器具１によって６ｍ×８ｍの照射範囲を照らした際の照度分布を示す図であり、図６は拡散カバー１８が取り付けられていない場合の照度分布を示し、図７は拡散カバー１８が取り付けられている場合の照度分布を示している。図６、図７に示した照射範囲内は、拡散カバー１８が取り付けられていない状態では、６ｍ×８ｍの照射範囲内での最大照度は３８２６ｌｘなのに対して、拡散カバー１８を取り付けた際には、最大照度が２０２６ｌｘとなった。また、６ｍ×８ｍの照射範囲内での最小照度／最大照度は、拡散カバー１８が取り付けられていない状態では０．００５なのに対して、拡散カバー１８を取り付けた際には、０．０９５となった。このように、反射鏡１４の出射開口１７の一部を覆う透光性の拡散カバー１８を設けることで、照射範囲内での最大照度を低減して眩しさ（ハレーション）が低減される。また、６ｍ×８ｍの照射範囲内での最小照度／最大照度が向上するため、照射範囲全体を均斉度良く照明することができる。
【００３１】
これらの構成によれば、照明器具１を被照射面１００からの出幅を抑えて取り付けても、被照射面１００内で、照度が極端に上がってしまう箇所の発生を防ぎ、被照射面１００全体を照度ムラ無く、均一な光で照射することができる。拡散カバー１８は、例えば、出射開口１７の２０〜５０％の面積を覆っている構成とすることができる。なお、拡散カバー１８の大きさを適宜に変更し、拡散カバー１８で覆う出射開口１７の範囲を変えることで、被照射面１００内での照度分布を適宜に調整することができることは云うまでもない。
【００３２】
以上説明したように、本実施形態によれば、被照射面１００に一端部１０１側から斜めに光を照射する照明器具１であって、前面に前面開口１１Ａを有する器具本体１０と、器具本体１０の底部１３に配置された発光素子１２と、発光素子１２からの光を被照射面１００に向けて反射させる反射鏡１４とを有し、被照射面１００の一端部１０１側に向かう光を拡散させる拡散カバー１８を備えた。
【００３３】
この構成によれば、照明器具１が設けられた被照射面１００の一端部１０１側に向かう光を拡散カバーで拡散させて、光度の低い光で被照射面１００の一端部１０１側を照明することができる。よって、照明器具１が出幅を抑えて取り付けられ、照明器具１と被照射面１００との間に十分な照射距離が無い場合でも、照度ムラが発生しないように被照射面１００を照明することができる。また、照明器具１を出幅を抑えて取り付けても、被照射面１００を均一に照明することができるため、照射距離が短縮することができる分、低光量で被照射面１００を照明可能となり、消費電力の削減を図ることができる。
【００３４】
また、本実施形態によれば、拡散カバー１８が反射鏡１４の出射開口１７に設けられている。この構成によれば、反射鏡１４の出射開口１７から出射する光を、拡散カバー１８で拡散させることができ、光の制御を容易に行うことができる。また、拡散カバー１８を適宜の形状に形成して、出射開口１７に設けるだけで良く、簡単な構成で、照度ムラが発生しないように被照射面１００を照明することができる。
【００３５】
また、本実施形態によれば、拡散カバー１８が器具本体１０の前面開口１１Ａを塞ぐ前面カバー４０に一体に設けられている。この構成によれば、拡散カバー１８が一体に設けられた前面カバー４０で前面開口１１Ａを塞ぐだけで、簡単に照度ムラが発生しないように被照射面１００を照明することができる。
【００３６】
また、本実施形態によれば、拡散カバー１８は、反射鏡１４の出射開口１７の２０〜５０％の面積を有している。この構成によれば、拡散カバー１８で覆う出射開口１７の範囲を変えることで、被照射面１００での照度分布の調整を行うことができる。
【００３７】
また、本実施形態によれば、器具本体１０は、被照射面１００から１ｍ以内の出幅の位置に設置されている。この構成によれば、照射距離を短縮して、低光量で被照射面１００を照度ムラなく均一に照明可能となり、消費電力の削減を図ることができる。
【００３８】
また、本実施形態によれば、発光素子１２は、被照射面１００の幅方向に沿って複数並べて設けられ、反射鏡１４は、複数の発光素子１２の周囲を囲み、発光素子１２毎に仕切られた反射面１５を備えている。この構成によれば、反射面１５を発光素子１２毎に仕切っているため、横方向への漏れ光を防止することができ、被照射面１００を効率よく、且つ、漏れ光無く、照明することができる。
【００３９】
＜第２実施形態＞
次に、本発明の第２実施形態について説明する。なお、本実施形態において、第１実施形態と同一の部材については、同一の符号を付し、その説明を省略する。
【００４０】
図８は、第１実施形態の照明器具１による照射状態を模式的に示す図である。
照明器具１の照射において、図８に示すように、被照射面１００に、黄色味がかかった黄色領域１１２が発生することがあり、本実施形態では、黄色領域１１２の発生が抑えられる照明器具１１０を説明する。
【００４１】
図９は、本実施形態に係る照明器具１１０の正面図である。図１０は、拡散カバー１１６の構成を示す図であり、図１０（ａ）は拡散カバー１１６の上面図であり、図１０（ｂ）は拡散カバー１１６の正面図である。
照明器具１１０は、これらの図に示すように、第１実施形態の拡散カバー１８と異なる形状の拡散カバー１１６を備えており、この拡散カバー１１６の拡散カバー縁部１１６Ａが、図１０（ｂ）に示すように、複数の凸部１１６Ａ１及び凹部１１６Ａ２を含む曲線の波形状に形成されている。
【００４２】
複数の凸部１１６Ａ１及び凹部１１６Ａ２を含む波形状の拡散カバー縁部１１６Ａを有した拡散カバー１１６を用いることで、発明者らは、照明器具１１０の照射において、黄色領域１１２の黄色味を抑えることができる、という知見を得ている。
【００４３】
詳述すると、発光素子１２には、青色光を放射するＬＥＤチップを、シリコーン樹脂などの透明樹脂によって封止したものが用いられている。この透明樹脂の中には、ＬＥＤチップから放射された青色光によって励起されて黄色蛍光を放射する蛍光体が分散されている。発光素子１２は、青色光と黄色蛍光とが混合することで白色光を得て、この白色光が発光面１２Ａから放射される。
第１実施形態の照明器具１では、この白色光の放射範囲、すなわち出射開口１７に、図３に示すように、拡散カバー１８の直線状の拡散カバー縁部１８Ａが位置しており、この直線状の拡散カバー縁部１８Ａが黄色領域１１２の発生の要因となっていると推察される。
具体的には、発光素子１２において、青色光の波長と黄色蛍光の波長とが異なるため、屈折が生じると青色光と黄色蛍光とに分離される。この屈折による分離が拡散カバー縁部１８Ａを白色光が通過するときに生じることで、黄色領域１１２が発生すると考えられる。
これに対し、本実施形態の拡散カバー１１６では、拡散カバー縁部１１６Ａの波形状の凸部１１６Ａ１及び凹部１１６Ａ２により、当該拡散カバー縁部１１６Ａから出射する光が散ることで、黄色領域１１２に向かう黄色蛍光が拡散され、黄色領域１１２が目立たなくなると考えられる。
【００４４】
このように、本実施形態によれば、拡散カバー１１６の拡散カバー縁部１１６Ａが、複数の凸部１１６Ａ１及び凹部１１６Ａ２を含むので、黄色領域１１２を目立たなくすることができる。
【００４５】
図１１は、本実施形態に係る拡散カバー１１６の変形例を示す図である。
拡散カバー１１６の拡散カバー縁部１１６Ａは、少なくとも凸部１１６Ａ１および凹部１１６Ａ２のいずれかを含み、当該拡散カバー縁部１１６Ａから出射する光を散らせる形状であれば、任意の形状の拡散カバー１１６を用いてもよい。
例えば、図１１（ａ）、及び図１１（ｂ）に示すように、拡散カバー縁部１１６Ａが、少なくとも凸部１１６Ａ１および凹部１１６Ａ２のいずれか１つを含む形状の拡散カバー１１７、１１８を用いてもよい。
また例えば、拡散カバー縁部１１６Ａの凸部１１６Ａ１および凹部１１６Ａ２が曲線ではなく、図１１（ｃ）に示すように、矩形状の拡散カバー１１９を用いてもよい。
【００４６】
なお、第１実施形態及び第２実施形態は、あくまでも本発明の一態様を示すものであり、本発明の趣旨を逸脱しない範囲で任意に変形及び応用が可能である。
例えば、上述した各実施形態では、照明器具１、１１０は、箱状の筐体１１を備える矩形形状である構成としたが、照明器具の形状は矩形に限らず、例えば円形状や多角形状に形成されていても良い。また、上述した各実施形態では、発光素子１２は、矩形横長の発光面１２Ａを有するＣＯＢ型のＬＥＤである構成としたが、これに限らず、ＳＭＤ型のＬＥＤや、ＬＥＤ素子を複数並べて構成されていても良い。また、各実施形態では、拡散カバー１８、１１６、１１７、１１８、及び１１９は反射鏡１４の出射開口１７に設けられる板状の部材とした。しかし、これに限らず、拡散カバー１８、１１６、１１７、１１８、及び１１９は、前面カバー４０の一部に、前面カバー４０と一体に形成されている構成であっても良い。
【符号の説明】
【００４７】
１、１１０  照明器具
１０  器具本体
１１Ａ  前面開口
１２  発光素子
１４  反射鏡
１５  反射面
１６  仕切り板
１７  出射開口
１８、１１６、１１７、１１８、１１９  拡散カバー（拡散透過部材）
１８Ａ、１１６Ａ  拡散カバー縁部
４０  前面カバー（光透過性カバー）
１００  照射面
１０１  一端部
【図１】
2018092896.tif 000003
【図２】
2018092896.tif 000004
【図３】
2018092896.tif 000005
【図４】
2018092896.tif 000006
【図５】
2018092896.tif 000007
【図６】
2018092896.tif 000008
【図７】
2018092896.tif 000009
【図８】
2018092896.tif 000010
【図９】
2018092896.tif 000011
【図１０】
2018092896.tif 000012
【図１１】
2018092896.tif 000013